(57)【要約】【課題】本考案は、電磁誘導発熱シートと容器とが安定に接続され、且つ構造が簡単で製造しやすく、低価格の電磁加熱容器を提供する。【解決手段】日用の電磁加熱容器であって、容器本体（４０）と、容器カバー（１０）と、該容器本体（４０）の底部に設けられた電磁誘導発熱シート（２０）とを備える。前記電磁誘導発熱シート（２０）及び容器本体（４０）は、ねじ（３０）によって接続される。なお、電磁誘導を利用して電磁誘導発熱シートで渦をつくって発熱させ、容器を加熱することになる。【選択図】図２
0003135514.tif 000002
【実用新案登録請求の範囲】
【請求項１】
容器本体（４０）と、容器カバー（１０）と、該容器本体（４０）の底部に設けられた電磁誘導発熱シート（２０）とを備えた電磁加熱容器であって、前記電磁誘導発熱シート（２０）及び容器本体（４０）は、ねじ（３０）によって接続されることを特徴とする電磁加熱容器。
【請求項２】
前記容器本体（４０）の底部の壁体のエッチには、少なくとも二つの前記ねじ（３０）を捩じ込ませるためのねじ穴が均一に配置されたことを特徴とする請求項１に記載の電磁加熱容器。
【請求項３】
前記ねじ（３０）は、丸頭型ねじであることを特徴とする請求項２に記載の電磁加熱容器。
【請求項４】
前記容器本体（４０）及びねじ（３０）は、いずれもセラミック材料からなることを特徴とする請求項３に記載の電磁加熱容器。
【請求項５】
前記電磁誘導発熱シート（２０）と容器本体（４０）の底部との間に接着剤層を設けたことを特徴とする請求項４に記載の電磁加熱容器。
【請求項６】
前記電磁誘導発熱シート（２０）の外表面には、前記ねじ（３０）と間隔をおいて少なくとも三つの支持ブロック（２０１）を設けられ、該支持ブロックは、前記ねじ頭よりも大きい高さを有することを特徴とする請求項５に記載の電磁加熱容器。
【考案の詳細な説明】
【技術分野】
【０００１】
本考案は、電磁調理器加熱用の容器に関し、特に、電磁誘導発熱シート付の電磁加熱容器に関する。
【背景技術】
【０００２】
最近、市販される電磁調理器によって加熱される容器として、例えば、電磁調理器で加熱されるセラミック容器は、容器の底部に電磁誘導発熱シートを配置することにより、電磁を利用して発熱シートで渦をつくって発熱させ、非電磁誘導材料からなる容器を加熱する。このようなものは、電磁誘導発熱シートをセラミック容器の底部に直接に接着させるが、このような構造は以下のような明らかな欠点がある。
（１）容器で冷熱サイクルが繰り返し、接着剤でクラックが発生しやすくて、発熱シートを離脱させ、加熱機能を失うことになる。
（２）接着剤でクラックが発生し、発熱シートがまだ離脱されていない場合に、発熱シートと容器の底面との間に容器洗浄用の水が残存することから、再度に加熱すると、残存した水分が蒸発され、環境を汚染しやすい。
（３）加熱する場合に、発熱シートは、電磁調理器面と直接に接触されて、接触面の温度を高め、調理器に悪影響を与えることになる。
【考案の開示】
【考案が解決しようとする課題】
【０００３】
本考案は、発熱シートと容器とが安定に接続されず、寿命が短くて不清潔であった従来の課題を解決するものであり、安定に接続され、且つ寿命が長くて清潔な電磁加熱容器を提供することである。
【課題を解決するための手段】
【０００４】
上記した課題を解決するために、本考案の電磁加熱容器は、容器本体と、容器カバーと、該容器本体の底部に設けられた電磁誘導発熱シートとを備える。前記電磁誘導発熱シート及び容器本体は、ねじによって接続される。
本考案に係る第１の実施例であって、前記容器本体の底部の壁体のエッチには、少なくとも二つの前記ねじを捩じ込ませるためのねじ穴が均一に配置されている。
そのうち、前記ねじとして丸頭型ねじが用いられ、電磁誘導発熱シートを容器本体の底部の壁体の外表面に接続させる。
また、前記容器本体及びねじは、セラミック材料からなってもよい。
さらに、前記ねじは、金属材料からなってもよい。
また、前記電磁誘導発熱シートと容器本体の底部との間に接着剤層を設けてもよい。
本考案に係る第２の実施例であって、前記電磁誘導発熱シートの外表面には、前記ねじと間隔をおいて少なくとも三つの支持ブロックを設けられ、該支持ブロックは、前記ねじ頭よりも大きい高さを有してもよい。また、該支持ブロックは、電磁誘導発熱シートと同じ材料からなり、電磁誘導発熱シートと一体に製造されてもよい。
【考案の効果】
【０００５】
本考案は、ねじにより、電磁誘導発熱シートを容器の底部に直接に接続させ、電磁調理器で容器を加熱する目的を達成する。このような接続構造は、容器の底部の構造を簡略化させ、製造及び実装を簡単にし、コストも低下させる。特に、容器本体及びねじが同一のセラミック材料からなる場合に、両者の整合により総合的耐温性が向上されて、使用寿命が長くなり、標準ねじを用いて接続すると、製造を簡略化し、コストをより低下させる。ねじによる接続は強固で安定になり、環境を汚染しにくい。容器の底部は、ねじ頭を介して、電磁調理器面と部分的に接触することができ、あるいは、ねじ頭よりも高い支持ブロックにより、電磁調理器と部分的に接触され、従って、電磁調理器面のアップ温度を高くせず、有效に電磁調理器を保護することになる。
【考案を実施するための最良の形態】
【０００６】
以下、図面を参照して、本考案について詳しく説明する。
【０００７】
図１に示すように、本考案に係る第１の実施例の電磁加熱容器であって、容器本体４０と、容器カバー１０と、該容器本体４０の底部に設けられた電磁誘導発熱シート２０とを備える。三つのねじ３０を用いて前記電磁誘導発熱シート２０を容器本体４０に接続させ、ねじの数は容器本体４の大きさによって選んでもよい。容器本体４０の底部と電磁誘導発熱シート２０との間には、一層の耐温接着剤が塗布される。本実施例において、前記容器本体４０及びねじ３０は、いずれもセラミック材料からなる。容器本体４０の底部の壁体のエッチには、その円周に沿って三つの前記ねじ３０を捩じ込ませるためのねじ穴が均一に配置される。ねじ３０として、丸頭型ねじが用いられ、電磁誘導発熱シート２０を容器本体４０に接続させる。前記ねじ３０は、金属材料からなる標準的なねじであってもよい。
【０００８】
通常、容器本体４０の底部は平面であり、設計された位置にねじ穴を作り出し、セラミックに焼付けて、容器本体の底部を平面に研磨する。電磁誘導発熱シート２０の対応する容器本体４０の底部のねじ穴の位置に穴を抜いておき、さらに、容器本体４０の底部に一層の接着剤を塗布し、電磁誘導発熱シート２０を貼り合わせ、最後に、丸頭型ねじ３０により、電磁誘導発熱シート２０を容器本体４０の底部に固定させて接続する。電磁誘導発熱シート２０と容器本体４０の底部との間に設けられた接着剤層は、電磁誘導発熱シート２０と容器本体４０との接着を増強させるとともに、密封して断水する作用も果たすことができる。このようなねじによる接続構造は、容器の底部の構造を簡略化させ、製造及び実装を簡単にし、コストも低下させる。特に、容器本体及びねじが同一のセラミック材料からなる場合に、両者の整合により総合的耐温性が向上されて、使用寿命が長くなり、標準ねじを用いて接続すると、製造を簡略化し、コストをより低下させる。ねじ３０の丸頭は、容器本体４０の脚として支持することができ、加熱する場合に、ねじ２０の丸頭だけが電磁調理器面と直接に接触して、調理器面の温度を高くすることなく、電磁調理器を良好に保護することができる。
【０００９】
図２及び図３は、本考案に係る第２の実施例の基本構造を示しており、容器本体４０の底部の電磁誘導発熱シート２０の外表面には前記ねじ３０と間隔をおいて配置された三つの支持ブロック２０１が設けられ、該支持ブロックは、前記ねじ頭よりも大きい高さを有し、支持ブロックの数は容器の大きさにより選択することができるという点において第１の実施例の基本構造と異なる。支持ブロック２０１は、電磁誘導発熱シートと同じ材料からなり、電磁誘導発熱シートと一体に製造されてもよい。支持ブロック２０１と電磁誘導発熱シート２０とを個別に製造し、その後に、両者を一体に接続してもよい。支持ブロック２０１は、容器本体４０の脚として支持することができ、加熱する場合に、支持ブロック２０１は電磁調理器面と直接に接触され、調理器面の温度を高くすることなく、電磁調理器を良好に保護することができるとともに、電磁調理器に与えられる施力を向上させ、調理器の寿命を長くさせることができる。
【００１０】
以上に述べた実施例は本考案に係る最適な実施例であり、本考案の請求の範囲を制限するものではない。なお、本考案の形状、構造及び原理による等価的な変化は、いずれも本考案の請求の範囲に属するものである。
【図面の簡単な説明】
【００１１】
【図１】本考案に係る第１の実施例の正面図である。
【図２】本考案に係る第１の実施例の正面図である。
【図３】図２の底部の示す図である。
【符号の説明】
【００１２】
１０      容器カバー
２０     電磁誘導発熱シート
２０１   支持ブロック
３０     ねじ
４０     容器本体
【図１】
0003135514.tif 000003
【図２】
0003135514.tif 000004
【図３】
0003135514.tif 000005